(57)【要約】【課題】偏波スクランブラを駆動する正弦波信号と、偏波依存型光強度変調器に入力される送信信号ビットレートを非同期とし、かつ偏波スクランブルによる光スペクトル広がりを小さくする。【解決手段】一方のノードの光源から光ファイバを介して伝送された連続光を他方のノードの光強度変調器に入力し、その連続光を送信信号により変調して次のノードへ送信する構成であり、一方のノードに偏波スクランブラを備え、光源から出力される連続光を偏光度ゼロのスクランブル光に変換して出力する光ネットワークにおいて、他方のノードの光強度変調器として偏波依存型光強度変調器を用い、他方のノードの送信信号のビットレートをＢ（ｂｐｓ）　としたときに、一方のノードの偏波スクランブラを駆動する電気信号は送信信号と非同期であり、スクランブル光の偏波スクランブル周波数ｆＳＣ（Ｈｚ）はＢ≦ｆＳＣ＜２Ｂとする。【選択図】　　　　図１
2004056705.tif 000002
【特許請求の範囲】
【請求項１】
一方のノードに配置される光源から光ファイバを介して伝送された連続光を他方のノードの光強度変調器に入力し、その連続光を外部から入力される送信信号により変調し、その変調信号光を次のノードへ送信する構成であり、前記一方のノードに偏波スクランブラを備え、前記光源から出力される連続光を偏光度ゼロのスクランブル光に変換して出力する光ネットワークにおいて、
前記他方のノードの光強度変調器として偏波依存型光強度変調器を用い、
前記他方のノードの送信信号のビットレートをＢ（ｂｐｓ）　としたときに、前記一方のノードの偏波スクランブラを駆動する電気信号は前記送信信号と非同期であり、前記スクランブル光の偏波スクランブル周波数ｆＳＣ（Ｈｚ）は、
Ｂ≦ｆＳＣ＜２Ｂ
であることを特徴とする光ネットワーク。
【請求項２】
請求項１に記載の光ネットワークにおいて、
前記偏波スクランブラは、
互いに直交する偏波軸を個別に位相変調できる２つの位相変調軸をもった差動位相変調器に、両方の位相変調軸に対してパワーが均等になる偏波状態の光を入射する手段と、
位相差δ（ｔ）＝０．７６５５πｓｉｎ２πｆＳＣｔ　を与える正弦波信号を前記２つの位相変調軸の少なくとも一方に印加する手段を備え、
前記スクランブル光の偏波スクランブル周波数ｆＳＣ（Ｈｚ）は、
１．６Ｂ＜ｆＳＣ＜２Ｂ
であることを特徴とする光ネットワーク。
【請求項３】
請求項１に記載の光ネットワークにおいて、
前記偏波スクランブラは、
前記連続光を正弦波信号により光強度変調し、１パルスごとに光電界の反転した一定周期Ｔ（＝１／ｆＳＣ）の光パルスを生成する光強度変調器と、
前記光パルスを入力して偏波状態が直交する２つの光パルスに分離し、さらにその時間位置を相対的に（２ｎ−１）Ｔ／２だけずらし（ｎは自然数）、１パルスごとに偏波の直交した光を生成する手段とを備え、
前記光強度変調器はマッハツェンダ型光強度変調器であり、光パワーを２分岐した経路をそれぞれ変調器出力がオフになる位置を中心に、ピークツーピークで位相差πを生じさせる逆位相の正弦波信号で位相変調を行う構成であり、
前記スクランブル光の偏波スクランブル周波数ｆＳＣ（Ｈｚ）は、
１．７Ｂ＜ｆＳＣ＜２Ｂ
であることを特徴とする光ネットワーク。
【請求項４】
請求項１に記載の光ネットワークにおいて、
前記偏波スクランブラから出力されるスクランブル光を、各々の送信ビットレートにばらつきがある２以上の光強度変調器に供給する構成であり、前記スクランブル光の偏波スクランブル周波数ｆＳＣ（Ｈｚ）をほぼ２Ｂに設定することを特徴とする光ネットワーク。
【発明の詳細な説明】
【０００１】
【発明の属する技術分野】
本発明は、一方のノードに配置される光源から光ファイバを介して伝送された連続光を他方のノードの光強度変調器に入力し、その連続光を外部から供給される信号により変調し、その変調信号光を次のノードへ送信する構成において、光強度変調器の偏波依存性を考慮し、一方のノードの光源から出力される連続光の偏光状態を高速に変化させて無偏光化する偏波スクランブラを用いた光ネットワークに関する。
【０００２】
【従来の技術】
図１１は、光ネットワークの基本構成を示す。図１１（ａ）　において、ノード１０−１，１０−２が光ファイバ１−１，１−２を介して接続される。ここでは、ノード１０−１に配置される光源１１から出力される連続光を光ファイバ１−１を介してノード１０−２へ伝送し、ノード１０−２の光強度変調器１２でその連続光を送信信号により変調し、その変調信号光を光ファイバ１−２を介してノード１０−１の受信器１３に折り返す構成とする。
【０００３】
このような光ネットワークとしては、例えばノード１０−２として光源を持たないユーザ端末を想定し、局側（ノード１０−１）から供給される光キャリアを、ユーザ側のネットワークから供給される送信信号で変調し、局側（ノード１０−１）に上り信号として折り返すようなアクセスネットワークがある。このような光ネットワークでは、光キャリアが伝送路の光ファイバを通過する間に、その偏波状態が時間的に任意に変化するので、ユーザ側で使用する光強度変調器には、透過特性として偏波依存性が小さいものが要求される。それに応える光強度変調器としては、電界吸収型光強度変調器（ＥＡ変調器）や、半導体光増幅器型光強度変調器（ＳＯＡ変調器）などがあり、これらを使用すれば図１１（ａ）　に示す光ネットワークを構成することが可能である。
【０００４】
しかし、ＥＡ変調器は透過損失が大きいので、図１１（ａ）　に示す光ネットワークを構成した場合には、信号ＳＮＲが大きく劣化することになる。さらに、近年は光源と光変調器が一体になったＥＡ−ＤＦＢレーザの開発に注力され、ＥＡ変調器単体がデバイスとして生産されることが極めて少なくなっており、量産化による製造コストの低下が望めない状況にある。また、ＳＯＡ変調器は、その増幅機能のために透過損失はないが、エルビウム添加光ファイバ増幅器などと比較して応答速度が遅いので、Ｇｂｉｔ／ｓ　オーダの信号に対して波形劣化が著しい。
【０００５】
一方、偏波依存型の光強度変調器としてＬｉＮｂＯ３　光強度変調器がある。しかし、図１１（ａ）　に示す光ネットワークでは、前述の理由により偏波依存型の光強度変調器を利用することができない。なお、光強度変調器の前段で偏波を制御する偏波制御器を用いれば使用可能になるが、ＷＤＭ信号伝送では各波長に対応する偏波制御器が必要になり、コストの面で不利である。しかし、ＬｉＮｂＯ３　光強度変調器は、ＥＡ変調器に比べて低透過損失かつ低コストであり、ＳＯＡ変調器に比べて高速変調に優れる利点がある。
【０００６】
そこで、図１１（ａ）　に示す光源と光強度変調器が光ファイバを介して離れた位置にある光ネットワークにおいて、ＬｉＮｂＯ３　光強度変調器のような偏波依存型の光強度変調器の使用を可能にする構成が提案されている（参考文献：特開２０００−１９６５２３号公報）。これは、図１１（ｂ）　に示すように、光源１１の後段に偏波スクランブラ１４およびそれを駆動する発振器１５を配置し、光キャリアの偏波状態を規則的に回転させてその偏光度をゼロにすることにより、ノード１０−２の偏波依存型光強度変調器１６の偏波依存性の問題を解決するものである。これによれば、ＷＤＭ信号伝送においても偏波スクランブラは１つあればよく、前述の偏波制御器を波長数分備える構成に比べてコスト低減が可能である。
【０００７】
図１２は、偏波スクランブラ１４の構成例を示す。図において、偏波スクランブラ１４は、発振器１５からの一定周波数の正弦波信号により、位相変調を与えることが可能なＹ軸（位相変調軸）と、それに直交する位相変調の影響をほとんど受けないＸ軸（非位相変調軸）をもつ光位相変調器である。Ｚ軸方向に進む入射光は、偏波軸がＸ軸およびＹ軸に対して４５度の角度になるように入射され、発振器からの一定周期信号によりＹ軸のみ位相変調される。これにより、入射光の偏波状態が回転（スクランブル）して出力される。
【０００８】
以下、偏光度をゼロにする条件について説明する。一般に、楕円偏波光（直線偏波、円偏波を含む）の電界ＥのＸ，Ｙ成分は
Ｅｘ　＝Ｒｅ［Ａｘ　ｅｘｐ（ｉ（ｋｚ−ωＣｔ＋φｘ））］　　　…（１）
Ｅｙ　＝Ｒｅ［Ａｙ　ｅｘｐ（ｉ（ｋｚ−ωＣｔ＋φｙ））］　　　…（２）
となる。ここで、ｋ，ω，ｔ，Ａ，φは、楕円偏波光の波数、角周波数、時間、振幅、位相をそれぞれ表し、Ｒｅ［　］はカッコ内の実数部をとるものとする。また、添え字はベクトル量の各軸方向成分を示す。
【０００９】
偏波スクランブラ出力の偏光度は、Ｘ軸およびＹ軸に与えられる位相差
δ＝φｙ　−φｘ　　　　　　　　　　　　　　　　　…（３）
に応じて変化させることができる。偏光度は、位相変調関数の形状に依存するが、正弦波を使用した場合の偏光度ゼロの条件は、
δ＝０．７６５５πｓｉｎ２πｆＳＣｔ　　　　…（４）
である（参考文献１：ＩＥＥＥ　Ｊ．Ｌｉｇｈｔｗａｖｅ　Ｔｅｃｈｎｏｌ．，　ｖｏｌ．８，　ｐｐ．８３８−８４５，　１９９０）　。ここで、　ｆＳＣは偏波スクランブル（偏波回転）周波数である。この条件は、図１２に示す偏波スクランブラでは、
δｘ　＝０　　　　　　　　　　　…（５）
δｙ　＝０．７６５５πｓｉｎ２πｆＳＣｔ　　　…（６）
となる。
【００１０】
また、図１３に示すように、偏波スクランブラ１４として図１２の光位相変調器を２段にし、その光位相変調器４１−１，４１−２の間に偏波を９０度回転させる偏波回転器４２を配置し、発振器１５から各光位相変調器に印加する正弦波信号が互いに逆位相になるように位相調整器４３を用いる構成としてもよい。この構成では、２つの光位相変調器の１段目にＸ軸およびＹ軸に対して４５度の角度で直線偏光の光を入射し、２段目に、１段目で位相変調を受けなかったＸ軸成分がＹ軸に一致するように偏波状態を９０度回転させて入射されるので、偏光度ゼロの条件式（４）　は、位相変調軸の両方に互いに逆位相で均等に位相変調を与えると、
δｘ　＝（０．７６５５π／２）ｓｉｎ２πｆＳＣｔ　　　…（７）
δｙ　＝−（０．７６５５π／２）ｓｉｎ２πｆＳＣｔ　　…（８）
となる。
【００１１】
図１２，１３に示す偏波スクランブラの動作に原理的な相違はないが、図１３に示す偏波スクランブラは、位相変調量を互いに直交する２軸に分散させて与えているために、図１２に示す偏波スクランブラよりも位相変調による光スペクトル広がりを抑えることが可能になる。ここでは、偏波スクランブラに入射する光は直線偏光としたが、Ｘ軸およびＹ軸に均等にパワーが入射されればよく、例えば円偏波を入射しても出力光の偏光度をゼロにすることができる。
【００１２】
一般に、偏波スクランブラを利用して、伝送路内に挿入される要素の偏波依存性を解消する場合、送信信号ビットレートの２倍（またはそれ以上）の偏波スクランブル（偏波回転）周波数が用いられる（参考文献２：Ｅｌｅｃｔｒｏｎ．Ｌｅｔｔ．，　ｖｏｌ．３０，　ｐｐ．８０６−８０７，　１９９４）　。これは、標本化定理によると「信号はその最高周波数成分の各周期あるいはサイクルの間に少なくとも２回標本化されなければならない」ことに起因すると思われる。
【００１３】
【発明が解決しようとする課題】
しかし、送信信号ビットレートの２倍（またはそれ以上）の偏波スクランブル周波数で偏波を回転させると、偏波スクランブル周波数の増加に従って変調により光スペクトルが広がるために、伝送路の波長分散による信号の波形劣化が大きくなる問題がある。また、ＷＤＭ信号伝送において光スペクトルの広がりは、ＷＤＭ信号の高密度化を阻害する要因になる。
【００１４】
この問題を解決するために、送信信号クロックと偏波スクランブラを駆動する正弦波信号との同期をとることにより、偏波スクランブル周波数を送信信号ビットレートと同じになるように設定し、偏波スクランブラからの出力光スペクトルを狭窄化する手法が提案されている（参考文献３：Ｅｌｅｃｔｒｏｎ．Ｌｅｔｔ．，　ｖｏｌ．３２，　ｐｐ．５２−５４，　１９９６）　。しかし、この手法では、送信信号クロックと偏波スクランブラを駆動する正弦波信号との同期が不可欠であり、図１１（ｂ）　に示す光ネットワークでは両者の同期をとるための何らかの手段が必要になる。
【００１５】
本発明は、偏波スクランブラを駆動する正弦波信号と、偏波依存型光強度変調器に入力される送信信号ビットレートを非同期とし、かつ偏波スクランブルによる光スペクトル広がりの小さい光ネットワークを提供することを目的とする。
【００１６】
【課題を解決するための手段】
本発明は、一方のノードに配置される光源から光ファイバを介して伝送された連続光を他方のノードの光強度変調器に入力し、その連続光を外部から入力される送信信号により変調し、その変調信号光を次のノードへ送信する構成であり、一方のノードに偏波スクランブラを備え、光源から出力される連続光を偏光度ゼロのスクランブル光に変換して出力する光ネットワークにおいて、他方のノードの光強度変調器として偏波依存型光強度変調器を用い、他方のノードの送信信号のビットレートをＢ（ｂｐｓ）　としたときに、一方のノードの偏波スクランブラを駆動する電気信号は送信信号と非同期であり、スクランブル光の偏波スクランブル周波数ｆＳＣ（Ｈｚ）は、Ｂ≦ｆＳＣ＜２Ｂとする。ここで、ｆＳＣ≧Ｂとしたが、これは送信信号１ビット内の偏光度がゼロとなる条件である。
【００１７】
【発明の実施の形態】
（光ネットワークの第１の実施形態）
図１は、本発明の光ネットワークの第１の実施形態を示す。ここでは、２ノード間の光伝送システムを例に説明する。図において、ノード１０−１に配置される光源１１、偏波スクランブラ１４および発振器１５、ノード１０−１に光ファイバ１−１を介して接続されるノード１０−２に配置される偏波依存型光強度変調器１６は、図１１（ｂ）　に示すものと同様である。
【００１８】
ただし、本実施形態ではノード１０−２の送信信号のビットレートはＢｂｐｓ　、ノード１０−１の偏波スクランブラ１４を駆動する発振器１５からの正弦波信号は送信信号と非同期であり、スクランブル光の偏波スクランブル周波数ｆＳＣは、
Ｂ≦ｆＳＣ＜２Ｂ
に設定する。
【００１９】
本実施形態の偏波スクランブラ１４として、図１２に示した光位相変調器を用いた場合に得られるアイダイヤグラム（疑似ランダムパターン＝２７−１）の計算例を図２に示す。ただし、偏波スクランブラ出力の偏光度をゼロ、偏波スクランブラを駆動する正弦波信号周波数を２．４８ＧＨｚ、送信信号ビットレートを１．２５Ｇｂｐｓ　とし、受信した電気信号は送信信号ビットレートの　０．７倍の３ｄＢ幅をもつ低域通過フィルタを通過させるものとする。なお、偏波スクランブラ１４として、図１３に示した構成を用いても原理的な相違はないので、得られるアイダイヤグラムは同様である。
【００２０】
ここで、正弦波信号周波数を送信信号ビットレートの２倍の周波数　２．５ＧＨｚから０．０２ＧＨｚずらしたのは、両者が非同期で動作することを模擬するためであり、偏波依存型光強度変調器１６への入射偏波状態は、図中に定義されるａおよびｃが最小となる場合を選んでいる。また、図から明らかなように、正弦波信号周波数と送信信号ビットレートが非同期であるために、出力アイダイヤグラムには時間軸方向にジッタが生じるものの、ある程度のアイの開きは確保されている。このジッタをなくすためには、一般に偏波スクランブラを駆動する正弦波信号周波数を送信信号ビットレートの自然数倍に合わせるとともに、両者の位相同期をとればよいが、本発明ではそれをしない。
【００２１】
ここで、偏波スクランブル周波数（＝正弦波信号周波数）ｆＳＣを
Ｂ≦ｆＳＣ＜４Ｂ
の範囲で変化させたときに、ジッタ（＝（ｂ−ａ）／ｂ）および規格化アイ開口度（＝ａ）の計算結果を図３に示す。図に示すように、偏波スクランブル周波数が送信信号ビットレートの２倍より小さい場合でも、ａおよびｃについてある程度の大きさが確保されていることがわかる。これにより、スクランブル光の偏波スクランブル周波数ｆＳＣを
Ｂ≦ｆＳＣ＜２Ｂ
に設定しても、送信信号を受信できる可能性が示される。
【００２２】
（偏波スクランブラの構成例）
図４は、偏波スクランブラ１４の基本構成例を示す。なお、ここに示す偏波スクランブラは、特願２００２−４５９５６および特願２００２−１０４２５４に提案されているものと同様である。
【００２３】
図において、偏波スクランブラ１４は、光源１１からの連続光を発振器１５からの正弦波信号により変調する光強度変調器３１と、光強度変調器３１の出力光パルスを入力する偏波保持光ファイバ３６を用いた構成である。光強度変調器３１は、発振器１５からの正弦波信号により駆動され、図４（ｂ）　に示す周期Ｔ（＝１／ｆＳＣ）で１パルスごとに光電界が反転した光パルスを出力する。この光パルスは、偏波保持光ファイバ３６の速達軸３７と遅延軸３８に対して４５度の角度（電力比が１：１）で入射される。偏波保持光ファイバ３６の長さは、速達軸３７と遅延軸３８を通過した光パルスの間に、（２ｎ−１）Ｔ／２の遅延が与えられるように設定される（ｎは自然数）。その結果、１つの光パルスは偏光状態が直交する２つの光パルスに分離され、図４（ｃ）　のように、１パルスごとに互いに偏波の直交したスクランブル光が生成される。
【００２４】
ここで、図４（ｂ）　に示す光パルスを実現するには、例えば図５に示すように、透過光電界特性が入力信号φ（ｔ）　と特定の入力信号φ０　に対して、
Ｅ（φ（ｔ）−φ０）＝−Ｅ（−φ（ｔ）−φ０）
となる光強度変調器３１を、φ０　を中心に周期２Ｔ（＝ｆＳＣ／２）の繰り返し信号で駆動すればよい。この偏波スクランブラは、特願２００２−４５９５６の明細書に記載のように、出力されたスクランブル光の光パルスに時間的に重なりがある場合でも、その偏光度をゼロにすることができる。
【００２５】
図６は、偏波スクランブラ１４の構成例を示す。
図において、偏波スクランブラ１４は、光源１１からの連続光を入力するマッハツェンダ型光強度変調器４１と、発振器１５からの正弦波信号を入力してマッハツェンダ型光強度変調器４１の駆動信号を出力する直流印加器４２および位相調整器４３と、マッハツェンダ型光強度変調器４１の出力光パルスを入力する偏波保持光ファイバ４４を用いた構成である。
【００２６】
マッハツェンダ型光強度変調器４１は、光源１１からの連続光を入力し、光パワーを均等に２分岐した経路に与えられる相対的な位相差に応じて振幅変調を行う。特に、大きさが等しく、互いに逆位相（逆符号）の信号で２つの経路をそれぞれ位相変調すると、図６（ｂ）　に示すような正弦波状の電界透過特性が得られる。なお、ここではφは逆位相信号の位相差を示し、時間平均差がφ０　（分離した２経路に位相差πを生じさせる量）であり、ピークツーピークで位相差πを生じさせる逆位相の正弦波信号（周期２Ｔ＝２／ｆＳＣ）で位相変調を行い、光パルス（周期Ｔ＝１／ｆＳＣ）を生成する。ただし、２つの正弦波信号に加えられる時間平均差φ０　および位相差は、それぞれ直流印加器４２および位相調整器４３において与えられる。生成される光パルスは、偏波保持光ファイバ４４に入力され、第１の構成例と同様に１パルスごとに互いに偏波が直交したスクランブル光に変換される。
【００２７】
本構成例の偏波スクランブラ１４を用いた場合に得られるアイダイヤグラム（疑似ランダムパターン＝２７−１）の計算例は図２と同様になるが、偏波スクランブル周波数（＝正弦波信号周波数×２）ｆＳＣを
Ｂ≦ｆＳＣ＜４Ｂ
の範囲で変化させたときに、ジッタ（＝（ｂ−ａ）／ｂ）および規格化アイ開口度（＝ａ）の計算結果を図７に示す。図に示すように、偏波スクランブル周波数が送信信号ビットレートの２倍より小さい場合でも、ａおよびｃについてある程度の大きさが確保されていることがわかる。これにより、スクランブル光の偏波スクランブル周波数ｆＳＣを
Ｂ≦ｆＳＣ＜２Ｂ
に設定しても、送信信号を受信できる可能性が示される。
【００２８】
ここで、ＩＥＥＥ８０２．３　に記載されている１０００ＢＡＳＥ−ＳＸ　および１０００ＢＡＳＥ−ＬＸ　の送出アイダイヤグラムに対するマスク規定を図８に示す。この送出アイダイヤグラムは、光信号を電気信号に変換し、必要があれば電気のローパスフィルタを透過させたものである。偏波スクランブラ１４として、図１２の偏波スクランブラを用いた場合（請求項２）と、図６の偏波スクランブラを用いた場合（請求項３）に得られる送出アイダイヤグラムの計算結果を図９（ａ），（ｂ）　に示す。ただし、偏波スクランブラ出力の偏光度をゼロ、送信信号ビットレートをＢ＝１．２５Ｇｂｐｓ　、偏波スクランブラを駆動する正弦波信号周波数をそれぞれ１．９８ＧＨｚ（≒１．６　Ｂ）、１．０５２５ＧＨｚ（≒１．７　Ｂ）とし、受信した電気信号は送信信号ビットレートの　０．７倍の３ｄＢ幅をもつ低域通過フィルタを通過させるものとする。
【００２９】
ここで、各々の正弦波信号周波数を送信信号ビットレートの　１．６倍および　１．７倍の周波数からずらしたのは、両者が非同期で動作することを模擬するためであり、偏波依存型光強度変調器１６への入射偏波状態は、図２中に定義されるａおよびｃが最小となる場合を選んでいる。図９は、図８のマスク規定に合わせて図示している。図から明らかなように、上の条件において、各偏波スクランブラを用いる場合はそれぞれ図８のマスク規定を満足することがわかる。
【００３０】
（光ネットワークの第２の実施形態）
図１０は、本発明の光ネットワークの第２の実施形態を示す。図において、ノード１０−１と、ノード１０−２およびノード１０−３は、光分岐器２１および光ファイバ１−１，１−２を介して接続される。ノード１０−１には光源１１、偏波スクランブラ１４および発振器１５が配置され、ノード１０−２，１０−３には偏波依存型光強度変調器１６が配置され、ノード１０−１から出力されるスクランブル光が分岐してノード１０−２，１０−３に供給される。
【００３１】
ここで、ノード１０−２，１０−３の偏波依存型光強度変調器１６を駆動する送信信号のビットレートはほぼＢ（ｂｐｓ）　であるが、各々独自のクロック信号に応じて動作しているために、それぞれのビットレートに例えば正規分布のようなバラツキがある。この場合、偏波スクランブル周波数を送信信号ビットレートの２倍以上に設定することは、偏波スクランブル周波数を送信信号ビットレート分布の最高周波数の２倍よりも十分に大きな値に設定することを意味する。一方、本願発明によれば、偏波スクランブル周波数を送信信号ビットレートの２倍以上に設定しなくても、十分なアイの開きを確保することが可能である。すなわち、本実施形態のように、偏波スクランブラからの出力光を２以上の光強度変調器に供給するシステムにおいて、各送信信号ビットレートにばらつきがある場合でも、本発明によれば偏波スクランブル周波数を送信信号ビットレートのほぼ２倍に設定すればよいので、容易に対応することができる。
【００３２】
【発明の効果】
以上説明したように、本発明は、光ファイバを介して伝送されるスクランブル光を変調する光強度変調器として偏波依存型光強度変調器を用い、偏波スクランブラを駆動する正弦波信号と、偏波依存型光強度変調器に入力される送信信号ビットレートを非同期としても、スクランブル光の偏波スクランブル周波数ｆＳＣをＢ≦ｆＳＣ＜２Ｂとすることにより、偏波スクランブルによる光スペクトル広がりの小さい光ネットワークを構成することができる。
【図面の簡単な説明】
【図１】本発明の光ネットワークの第１の実施形態を示す図。
【図２】第１の実施形態におけるアイダイヤグラムの計算例を示す図。
【図３】偏波スクランブル周波数に対するジッタおよびアイ開口度の計算例を示す図。
【図４】偏波スクランブラ１４の基本構成例を示す図。
【図５】光強度変調器３１の透過特性を示す図。
【図６】偏波スクランブラ１４の構成例を示す図。
【図７】偏波スクランブル周波数に対するジッタおよびアイ開口度の計算例を示す図。
【図８】マスク規定を示す図。
【図９】送出アイダイヤグラムの計算結果を示す図。
【図１０】本発明の光ネットワークの第２の実施形態を示す図。
【図１１】光ネットワークの基本構成を示す図。
【図１２】偏波スクランブラの構成例を示す図。
【図１３】偏波スクランブラの構成例を示す図。
【符号の説明】
１　　光ファイバ
１０　ノード
１１　光源
１２　光強度変調器
１３　受信器
１４　偏波スクランブラ
１５　発振器
１６　偏波依存型光強度変調器
２１　光分岐器
３１　光強度変調器
３６　偏波保持光ファイバ
４１　マッハツェンダ型光強度変調器
４２　直流印加器
４３　位相調整器
４４　偏波保持光ファイバ
【図１】
2004056705.tif 000003
【図２】
2004056705.tif 000004
【図３】
2004056705.tif 000005
【図４】
2004056705.tif 000006
【図５】
2004056705.tif 000007
【図６】
2004056705.tif 000008
【図７】
2004056705.tif 000009
【図８】
2004056705.tif 000010
【図９】
2004056705.tif 000011
【図１０】
2004056705.tif 000012
【図１１】
2004056705.tif 000013
【図１２】
2004056705.tif 000014
【図１３】
2004056705.tif 000015